(57)【要約】【課題】  記憶素子ケース（ＲＯＭカートリッジ）を制御基板に取り付けるためのコネクタ部が損傷すること、及び、記憶素子ケースが制御基板から外れることを防止する制御基板ケースを具備する遊技機を提供する。【解決手段】  制御基板４５と、制御基板４５に着脱可能に取り付けられたＲＯＭカートリッジ４６ａ及び４６ｂとを収容する制御基板ケースを具備する遊技機１が、制御基板４５の裏面側から当該制御基板４５が取り付けられる取付部４３ｅを有するベース部４３と、制御基板４５の表面側から当該制御基板４５を保護するカバー部４７と、カバー部４７から制御基板４５の表面側に突出する部材によって形成された規制部４８ａ・４８ｂ及び規制部４９ａ・４９ｂ及び規制部５０ａ・５０ｂとを具備し、規制部４８ａ・４８ｂ及び規制部４９ａ・４９ｂ及び規制部５０ａ・５０ｂが、記憶素子ケースの動きを規制する。【選択図】  図６
2005152266.tif 000002
【特許請求の範囲】
【請求項１】
遊技に係る所定の制御を行う制御素子が実装された制御基板と、遊技に係る所定のデータが記憶された記憶素子が内蔵され、前記制御基板の表面側に設けられたコネクタ部を介して前記制御基板に着脱可能に取り付けられた記憶素子ケースとを収容する制御基板ケースを具備する遊技機であって、
前記制御基板の裏面側から当該制御基板が取り付けられる取付部を有するベース部と、
前記制御基板の表面側から当該制御基板を保護するカバー部と、
前記カバー部から前記制御基板の表面側に突出する部材によって形成された規制部とを具備し、
前記規制部は、前記記憶素子ケースの動きを規制することを特徴とする遊技機。
【請求項２】
前記記憶素子ケースは、前記制御基板の表面に対して平行な前記記憶素子ケースの断面であるケース断面が略長方形となり、前記制御基板の表面に対する垂直方向の長さが前記ケース断面における短手方向の長さよりも長くなるような形状を有し、
前記規制部は、前記ケース断面における短手方向に対する前記記憶素子ケースの動きを規制することを特徴とする請求項１に記載の遊技機。
【請求項３】
前記規制部は、前記ケース断面における長手方向に対する前記記憶素子ケースの動きを規制することを特徴とする請求項２に記載の遊技機。
【請求項４】
前記規制部は、前記カバー部と一体的に形成されていることを特徴とする請求項１乃至請求項３に記載の遊技機。
【発明の詳細な説明】
【技術分野】
【０００１】
遊技に係る所定の制御を行う制御素子が実装された制御基板と、遊技に係る所定のデータが記憶された記憶素子が内蔵され、制御基板の表面側に設けられたコネクタ部を介して制御基板に着脱可能に取り付けられた記憶素子ケースとを収容する制御基板ケースを具備する遊技機に関する。
【背景技術】
【０００２】
従来、遊技に係る所定のデータ（プログラムや画像データ等）を記憶する記憶素子（ＲＯＭ）が実装された制御基板が収容された制御基板ケースを具備する遊技機が知られている。また、上述のＲＯＭを容易に交換することができるように、ＲＯＭが内蔵された記憶素子ケース（ＲＯＭカートリッジ）がコネクタ部を介して制御基板に取り付けられた遊技機も知られている（例えば、特許文献１）。
【特許文献１】特開２００３−１６４６３５号公報
【発明の開示】
【発明が解決しようとする課題】
【０００３】
しかしながら、上述の遊技機においては、上述の記憶素子ケース（ＲＯＭカートリッジ）が、制御基板に実装されたコネクタ部を介して、制御基板に取り付けられているため、記憶素子ケースや制御基板に振動等が加えられると、コネクタ部が損傷する可能性や記憶素子ケースが制御基板から外れる可能性があるという問題があった。
【０００４】
そこで、本発明は上述の問題を解決するためになされたものであり、記憶素子ケースを制御基板に取り付けるためのコネクタ部が損傷することや記憶素子ケースが制御基板から外れることを防止することができる制御基板ケースを具備する遊技機を提供することを目的とする。
【課題を解決するための手段】
【０００５】
本発明の第１の特徴は、遊技に係る所定の制御を行う制御素子が実装された制御基板（制御基板４５）と、遊技に係る所定のデータが記憶された記憶素子が内蔵され、制御基板の表面側に設けられたコネクタ部を介して制御基板に着脱可能に取り付けられている記憶素子ケース（ＲＯＭカートリッジ４６ａ及び４６ｂ）とを収容する制御基板ケースを具備する遊技機が、制御基板の裏面側から当該制御基板が取り付けられる取付部（取付部４３ｅ）を有するベース（ベース部４３）と、制御基板の表面側から当該制御基板を保護するカバー部（カバー部４７）と、カバー部から制御基板の表面側に突出する部材によって形成された規制部（規制部４８ａ・４８ｂ及び規制部４９ａ・４９ｂ及び規制部５０ａ・５０ｂ）とを具備し、規制部が、記憶素子ケースの動きを規制することを要旨とする。
【０００６】
かかる特徴によれば、規制部が、記憶素子ケースの動きを規制することにより、遊技機に具備される制御基板ケースは、記憶素子ケースに加えられる振動等によって、記憶素子ケースを制御基板に取り付けるためのコネクタ部が損傷すること、及び、記憶素子ケースが制御基板から外れることを防止することができる。
【０００７】
本発明の第２の特徴は、本発明の第１の特徴において、記憶素子ケースは、制御基板の表面に対して平行な記憶素子ケースの断面であるケース断面が略長方形となり、制御基板の表面に対する垂直方向の記憶素子ケースの長さがケース断面における短手方向の長さよりも長くなるような形状を有し、規制部が、ケース断面における短手方向に対する記憶素子ケースの動きを規制することを要旨とする。
【０００８】
かかる特徴によれば、規制部が、ケース断面における短手方向に対する記憶素子ケースの動きを規制することにより、遊技機に具備される制御基板ケースは、ケース断面における短手方向に対する振動等によって、記憶素子ケースと制御基板とを接続するコネクタ部が損傷すること、及び、記憶素子ケースが制御基板から外れることを防止することができる。
【０００９】
本発明の第３の特徴は、本発明の第２の特徴において、規制部が、ケース断面における長手方向に対する記憶素子ケースの動きを規制することを要旨とする。
【００１０】
かかる特徴によれば、規制部が、ケース断面における長手方向に対する記憶素子ケースの動きを規制することにより、遊技機に具備される制御基板ケースは、ケース断面における長手方向に対する振動等によって、記憶素子ケースと制御基板とを接続するコネクタ部が損傷すること、及び、記憶素子ケースが制御基板から外れることを防止することができる。
【００１１】
本発明の第４の特徴は、本発明の第１の特徴乃至第３の特徴において、規制部が、カバー部と一体的に形成されていることを要旨とする。
【００１２】
かかる特徴によれば、規制部が、カバー部と一体的に形成されていることにより、遊技機に具備される制御基板ケースは、従来の遊技機に具備される制御基板ケースに比べ、制御基板ケースの組立工数を増加させることなく、記憶素子ケースを制御基板に取り付けるためのコネクタ部が損傷すること、及び、記憶素子ケースが制御基板から外れることを防止することができる。
【発明の効果】
【００１３】
本発明によれば、記憶素子ケース（ＲＯＭカートリッジ）を制御基板に取り付けるためのコネクタ部が損傷すること、及び、記憶素子ケースが制御基板から外れることを防止する制御基板ケースを具備する遊技機を提供することができる。
【発明を実施するための最良の形態】
【００１４】
本発明に係る遊技機は、遊技に係る所定の制御を行う制御素子が実装された制御基板と当該制御基板にコネクタ部を介して制御基板に着脱可能に取り付けられた記憶素子ケース（以下、ＲＯＭカートリッジ）とを収容する制御基板ケースを具備する。また、制御基板ケースのカバー部には、ＲＯＭカートリッジの動きを規制する規制部が設けられている。
【実施例１】
【００１５】
（遊技機の構成）
以下において、本実施例に係る遊技機について、図面を参照しながら説明する。図１は、本実施例に係る遊技機１（本実施例においてはパチンコ機）の概観図である。
【００１６】
同図に示すように、遊技機１は、遊技機１を遊技場に設置するための外枠１０と、外枠１０の前面側に回動可能に取り付けられたベースドア２０と、ベースドア２０の前面側に回動可能に取り付けられた前面扉３０と、前面扉３０の裏面側に設けられる液晶ユニット４０とを具備する。また、液晶ユニット４０に設けられた液晶表示部４１には、特別図柄（又は、装飾図柄）及び所定の演出画像（リーチ演出画像等）が表示される。
【００１７】
図２は、本実施例に係るベースドア２０と液晶ユニット４０との配置関係を示す図である。同図に示すように、液晶ユニット４０は、液晶ユニット４０に設けられた取付部４０ａとベースドア２０に設けられた取付部２０ａとによって、ベースドア２０に固定される。
【００１８】
図３は、本実施例に係る液晶ユニット４０の背面側を示す図である。同図に示すように、液晶ユニット４０は、ベース部４３とカバー部４７とを具備する。ベース部４３には、上述の取付部４０ａが設けられ、特別図柄等及び所定の演出画像を液晶表示部４１に表示させるＣＰＵ等が実装された制御基板が取り付けられる。カバー部４７は、カバー部４７に設けられた取付部４７ａとベース部４３に設けられた取付部４３ａとによって、ベース部４３に固定されている。また、カバー部４７は、ベース部４３に取り付けられた制御基板を保護している。
【００１９】
具体的には、以下に示す通りである。図４は、本実施例に係る液晶ユニット４０の分解図である。同図に示すように、液晶ユニット４０は、上述の液晶表示部４１と、上述のベース部４３を構成する内ベース部４３ｂ及び外ベース部４３ｃと、上述の制御基板４５と、上述のカバー部４７とを具備する。
【００２０】
液晶表示部４１には、液晶表示部４１を外ベース部４３ｃに固定するために、取付部４２が取り付けられている。
【００２１】
内ベース部４３ｂは、外ベース部４３ｃに設けられた挿入孔４３ｄに挿入されて、液晶表示部４１と外ベース部４３ｃとの間に固定される。また、内ベース部４３ｂには、制御基板４５を取り付けるための取付部４３ｅが設けられている。
【００２２】
外ベース部４３ｃには、液晶ユニット４０をベースドア２０に取り付けるための取付部４０ａ、及び、カバー部４７を外ベース部４３ｃに取り付けるための取付部４３ａとが設けられている。
【００２３】
制御基板４５には、特別図柄等及び所定の演出画像を液晶表示部４１に表示させるＣＰＵが表面４５ａ側に実装されている。また、制御基板４５の表面４５ａには、特別図柄等及び所定の演出画像に係る画像データが記憶された記憶素子（ＲＯＭ）が内蔵された記憶素子ケース（ＲＯＭカートリッジ４６ａ及び４６ｂ）を着脱可能に取り付けるためのコネクタ部が設けられている。
【００２４】
ＲＯＭカートリッジ４６ａ及び４６ｂは、上述のコネクタ部を介して制御基板４５に着脱可能に取り付けられる。また、ＲＯＭカートリッジ４６ａ及び４６ｂは、制御基板４５の表面４５ａに対して平行な断面が略長方形となり、制御基板４５の表面４５ａに対する垂直方向の長さが、少なくとも、制御基板４５の表面４５ａに対して平行な断面における短手方向の長さよりも長くなるような形状を有している。
【００２５】
カバー部４７には、カバー部４７を外ベース部４３ｃに取り付けるための取付部４７ａが設けられている。また、カバー部４７は、外ベース部４３ｃに取り付けられることによって、ＲＯＭカートリッジ４６ａ及び４６ｂ等が取り付けられた制御基板４５を保護する。
【００２６】
なお、本実施例において、内ベース部４３ｂ及び外ベース部４３ｃ及びカバー部４７は、遊技に係る所定の制御を行う制御素子（ＣＰＵ等）が実装された制御基板４５と、遊技に係る所定のデータが記憶された記憶素子（ＲＯＭ）が内蔵され、制御基板４５の表面４５ａ側に設けられたコネクタ部を介して制御基板４５に着脱可能に取り付けられたＲＯＭカートリッジ４６ａ及び４６ｂとを収容する制御基板ケースを構成する。
【００２７】
図５は、本実施例に係るカバー部４７の裏側を示す図である。同図に示すように、カバー部４７の裏側には、制御基板４５の表面４５ａ側に突出する部材によって形成された規制部４８ａ・４８ｂ及び規制部４９ａ・４９ｂ及び規制部５０ａ・５０ｂが設けられている。
【００２８】
規制部４８ａ・４８ｂは、制御基板４５の表面４５ａに平行なＲＯＭカートリッジ４６ａ及び４６ｂの断面（以下、ケース断面）における短手方向に対するＲＯＭカートリッジ４６ａ及び４６ｂの動きを規制する。
【００２９】
規制部４９ａ・４９ｂは、ケース断面における長手方向に対するＲＯＭカートリッジ４６ａ及び４６ｂの動きを規制する。
【００３０】
規制部５０ａ・５０ｂは、制御基板４５の表面４５ａに対して垂直方向へのＲＯＭカートリッジ４６ａ及び４６ｂの動きを規制する。なお、規制部５０ａ・５０ｂは、カバー部４７を補強する機能も兼ねている。
【００３１】
図６は、図３におけるＡ方向から見た液晶ユニット４０の断面図である。同図に示すように、規制部４８ａ・４８ｂは、ケース断面における短手方向に対するＲＯＭカートリッジ４６ａ及び４６ｂの動き（Ｄ方向へのＲＯＭカートリッジ４６ａ及び４６ｂの動き）を規制する。また、規制部５０ａ・５０ｂは、制御基板４５の表面４５ａに対して垂直方向へのＲＯＭカートリッジ４６ａ及び４６ｂの動きを規制する。
【００３２】
図７は、図３におけるＢ方向から見た液晶ユニット４０の断面図である。同図に示すように、規制部４８ａは、ケース断面における長手方向に対するＲＯＭカートリッジ４６ａの動き（Ｅ方向へのＲＯＭカートリッジ４６ａの動き）を規制する。また、規制部５０ａは、制御基板４５の表面４５ａに対して垂直方向へのＲＯＭカートリッジ４６ａの動きを規制する。
【００３３】
図８は、図３におけるＣ方向から見た液晶ユニット４０の断面図である。同図に示すように、規制部４８ｂは、ケース断面における長手方向に対するＲＯＭカートリッジ４６ｂの動き（Ｇ方向へのＲＯＭカートリッジ４６ｂの動き）を規制する。また、規制部５０ｂは、制御基板４５の表面４５ａに対して垂直方向へのＲＯＭカートリッジ４６ｂの動きを規制する。
【００３４】
なお、本実施例において、ＲＯＭカートリッジ４６ａ及び４６ｂは、特別図柄等や所定の演出画像に係る画像データが記憶されたＲＯＭを内蔵しているが、これに限定されるものではなく、遊技に係る所定のプログラム等が格納されたＲＯＭを内蔵していてもよい。
【００３５】
また、本実施例において、制御基板ケースは、液晶ユニット４０の一部を構成するものとして説明したが、これに限定されるものではなく、大当り判定等を行うメインＣＰＵが実装されたメイン基板を保護するものであってもよい。
【００３６】
（遊技機の作用、及び、効果）
本実施例における遊技機１によれば、規制部４８ａ・４８ｂが、ＲＯＭカートリッジ４６ａ及び４６ｂの動きを規制することにより、遊技機１に具備される基板収容ケースは、制御基板４５の表面４５ａに平行なＲＯＭカートリッジ４６ａ及び４６ｂの断面（ケース断面）における短手方向に対する振動等によって、ＲＯＭカートリッジ４６ａ及び４６ｂを制御基板４５に取り付けるためのコネクタ部が損傷すること、及び、ＲＯＭカートリッジ４６ａ及び４６ｂが制御基板４５（コネクタ部）から外れることを防止することができる。
【００３７】
また、規制部４９ａ・４９ｂが、ＲＯＭカートリッジ４６ａ及び４６ｂの動きを規制することにより、遊技機１に具備される基板収容ケースは、ケース断面における長手方向に対する振動等によって、コネクタ部が損傷すること、及び、ＲＯＭカートリッジ４６ａ及び４６ｂが制御基板４５（コネクタ部）から外れることを防止することができる。
【００３８】
さらに、規制部５０ａ・５０ｂが、ＲＯＭカートリッジ４６ａ及び４６ｂの動きを規制することにより、遊技機１に具備される基板収容ケースは、制御基板４５の表面４５ａに対して垂直方向に対する振動等によって、コネクタ部が損傷すること、及び、ＲＯＭカートリッジ４６ａ及び４６ｂが制御基板４５（コネクタ部）から外れることを防止することができる。
【００３９】
また、規制部４８ａ・４８ｂ及び規制部４９ａ・４９ｂ及び規制部５０ａ・５０ｂが、カバー部４７と一体的に形成されていることにより、遊技機１に具備される制御基板ケースは、従来の遊技機に具備される制御基板ケースに比べ、制御基板ケースの組立工数を増加させることなく、コネクタ部が損傷すること、及び、ＲＯＭカートリッジ４６ａ及び４６ｂが制御基板４５（コネクタ部）から外れることを防止することができる。
【００４０】
なお、ＲＯＭカートリッジ４６ａ及び４６ｂを制御基板４５に取り付けるためのコネクタ部が損傷すること、及び、ＲＯＭカートリッジ４６ａ及び４６ｂが制御基板４５（コネクタ部）から外れることを防止する方法として、ＲＯＭカートリッジ４６ａ及び４６ｂを制御基板４５にねじ止めする方法も考えられるが、本実施例における方法に比べ、ＲＯＭカートリッジ４６ａ及び４６ｂの着脱が困難になるという問題がある。
【実施例２】
【００４１】
本発明に係る遊技機は、上述の実施例１の遊技機１に限定されるものではない。以下において、遊技機１の変更例について説明する。なお、本実施例においては、上述の実施例１の遊技機１との相違点についてのみ説明する。
【００４２】
図９（ａ）及び図９（ｂ）は、図７におけるＦ方向から見た液晶ユニット４０の一部を示す図である。図９（ａ）に示すように、カバー部４７の裏側には、制御基板４５の表面４５ａに突出する部材によって形成された規制部５１ａが設けられている。規制部５１ａは、制御基板４５の表面４５ａに対して平行なＲＯＭカートリッジ４６ａの断面（ケース断面）における４角側から、ＲＯＭカートリッジ４６ａの動きを規制する。
【００４３】
かかる特徴によれば、規制部５１ａが、ＲＯＭカートリッジ４６ａの動きを規制することにより、遊技機１に具備される基板収容ケースは、ケース断面における短手方向及び長手方向に対する振動等によって、コネクタ部が損傷すること、及び、ＲＯＭカートリッジ４６ａ及び４６ｂがコネクタ部から外れることを防止することができる。
【００４４】
図９（ｂ）に示すように、カバー部４７の裏側には、制御基板４５の表面４５ａに突出する部材によって形成された規制部５２ａが設けられている。規制部５２ａは、ケース断面における各辺側から、ＲＯＭカートリッジ４６ａの動きを規制する。
【００４５】
かかる特徴によれば、規制部５２ａが、ＲＯＭカートリッジ４６ａの動きを規制することにより、遊技機１に具備される基板収容ケースは、ケース断面における短手方向及び長手方向に対する振動等によって、コネクタ部が損傷すること、及び、ＲＯＭカートリッジ４６ａ及び４６ｂがコネクタ部から外れることを防止することができる。
【実施例３】
【００４６】
本発明に係る遊技機は、上述の実施例１の遊技機１に限定されるものではない。以下において、遊技機１の変更例について説明する。なお、本実施例においては、上述の実施例１の遊技機１との相違点についてのみ説明する。具体的には、上述の実施例１においては、遊技機がパチンコ機である場合について説明したが、本実施例においては、遊技機がパチスロ機である場合について説明する。
【００４７】
図１０は、本実施例に係る遊技機７０を示す外観図である。同図に示すように、遊技機７０は、所定の図柄が付された複数のリール等が収容された筐体７１と、筐体７１の前面に回動可能に取り付けられた扉体７２と、遊技に係る所定の演出画像（いわゆる予告画像等）が表示される液晶表示部７３とを具備する。
【００４８】
なお、上述の実施例１において、ＲＯＭカートリッジ４６ａ及び４６ｂは、液晶表示部４１に表示される特別図柄等や所定の演出画像に係る画像データを記憶したＲＯＭを内蔵しているが、本実施例において、ＲＯＭカートリッジ４６ａ及び４６ｂは、液晶表示部７３に表示される演出画像等に係る画像データを記憶したＲＯＭ、又は、遊技に係る所定のプログラム等を記憶したＲＯＭ等を内蔵している。
【００４９】
本実施例に示す通り、内ベース部４３ｂ及び外ベース部４３ｃ及びカバー部４７によって構成される基板収容ケースを、本実施例に係る遊技機７０（パチスロ機）に適用することができる。
【図面の簡単な説明】
【００５０】
【図１】実施例１に係る遊技機１の概観図である。
【図２】実施例１に係るベースドア２０及び液晶ユニット４０の配置関係を示す図である。
【図３】実施例１に係る液晶ユニット４０の概観図である。
【図４】実施例１に係る液晶ユニット４０の分解図である。
【図５】実施例１に係るカバー部４７の裏側を示す図である。
【図６】実施例１に係る液晶ユニット４０の断面図である（その１）。
【図７】実施例１に係る液晶ユニット４０の断面図である（その２）。
【図８】実施例１に係る液晶ユニット４０の断面図である（その３）。
【図９】実施例２に係るカバー部４７を示す図である。
【図１０】実施例３に係る遊技機７０の概観図である。
【符号の説明】
【００５１】
１・・・遊技機、１０・・・外枠、２０・・・ベースドア、２０ａ・・・取付部、３０・・・前面扉、４０・・・液晶ユニット、４０ａ・・・取付部、４１・・・液晶表示部、４２・・・取付部、４３・・・ベース部、４３ａ・・・取付部、４３ｂ・・・内ベース部、４３ｃ・・・外ベース部、４３ｄ・・・挿入孔、４３ｅ・・・取付部、４５・・・制御基板、４５ａ・・・表面、４６ａ及び４６ｂ・・・ＲＯＭカートリッジ、４７・・・カバー部、４７ａ・・・取付部、４８ａ及び４８ｂ・・・規制部、４９ａ及び４９ｂ・・・規制部、５０ａ及び５０ｂ・・・規制部、５１ａ・・・規制部、５２ａ・・・規制部、７０・・・遊技機、７１・・・筐体、７２・・・扉体、７３・・・液晶表示部
【図１】
2005152266.tif 000003
【図２】
2005152266.tif 000004
【図３】
2005152266.tif 000005
【図４】
2005152266.tif 000006
【図５】
2005152266.tif 000007
【図６】
2005152266.tif 000008
【図７】
2005152266.tif 000009
【図８】
2005152266.tif 000010
【図９】
2005152266.tif 000011
【図１０】
2005152266.tif 000012